(57)【特許請求の範囲】
【請求項１】
複数の負荷それぞれの近傍に設けられて負荷を流れる電流を検出する電流センサと、電流センサで検出された電流に基づいて各負荷における瞬時電力又は積算電力量を演算する電力演算装置と、各電流センサと電力演算装置との間をそれぞれ接続して信号の送受信を行う伝送線と、伝送線の電力演算装置側の一端部に設けられて電力演算装置に設けられた複数の接続口の何れかに電気的に接続されるコネクタとを備え、電流センサは、数字を表示するカウンタ、及び押操作することでカウンタに表示されている数字を変更する押釦から成るアドレス設定部と、アドレス設定部で設定された数値を自己に割り当てられたアドレス情報として記憶する記憶部と、コネクタが電力演算装置の接続口に接続されると記憶部からアドレス情報を読み出して電力演算装置に送信する送信部とを備え、電力演算装置は、演算した瞬時電力又は積算電力量を電流センサから送信されるアドレス情報と関連付けて記憶する記憶部を備えたことを特徴とする電力計測ユニット。
【発明の詳細な説明】
【技術分野】
【０００１】
本発明は、電流センサで検出した負荷を流れる電流に基づいて電力を計測する電力計測ユニットに関する。
【背景技術】
【０００２】
従来から、電力供給事業者から一般家庭等の電力需要家への電力の供給量を計測し、表示するように構成されている電力量計が提供されており、例えば特許文献１に開示されている。また、例えば一般家庭や工場、事業所等において用いられるものとして、互いに離れた位置に配設された複数の負荷それぞれの近傍に設けられる複数の電流センサと、各電流センサと伝送線を介して接続されるとともに各電流センサで検出された負荷を流れる電流、及び電圧センサで検出された負荷に印加される電圧に基づいて各負荷の瞬時電力又は積算電力量を演算する電力演算装置とを備えた電力計測ユニットが提供されている。
【先行技術文献】
【特許文献】
【０００３】
【特許文献１】特開平７−１６７８９４号公報
【発明の概要】
【発明が解決しようとする課題】
【０００４】
ところで、上述の電力計測ユニットでは、各電流センサから引き回される伝送線の端部に設けられたコネクタを電力演算装置に設けられた接続口に接続することで、各電流センサと電力演算装置とを電気的に接続している。また、電力演算装置では、接続口毎に得られた電流情報、及び電流情報に基づいて演算された瞬時電力又は積算電力量を記憶している。したがって、電力演算装置の接続口毎にどの電流センサのコネクタが接続されているかを把握する必要があった。
【０００５】
しかしながら、電流センサと電力演算装置とが互いに離れた位置に配設されている場合や、或いは各電流センサから引き回される伝送線を束ねて電力演算装置に接続する場合では、電流センサとコネクタとの対応関係が判り難く、対応関係を逐一確認することで施工性が悪化する虞があった。また、電力演算装置において本来接続したい接続口と異なる接続口にコネクタを誤って接続する虞があった。
【０００６】
本発明は、上記の点に鑑みて為されたもので、電流センサとコネクタとの対応関係を確認する必要のない電力計測ユニットを提供することを目的とする。
【課題を解決するための手段】
【０００７】
請求項１の発明は、上記目的を達成するために、複数の負荷それぞれの近傍に設けられて負荷を流れる電流を検出する電流センサと、電流センサで検出された電流に基づいて各負荷における瞬時電力又は積算電力量を演算する電力演算装置と、各電流センサと電力演算装置との間をそれぞれ接続して信号の送受信を行う伝送線と、伝送線の電力演算装置側の一端部に設けられて電力演算装置に設けられた複数の接続口の何れかに電気的に接続されるコネクタとを備え、電流センサは、数字を表示するカウンタ、及び押操作することでカウンタに表示されている数字を変更する押釦から成るアドレス設定部と、アドレス設定部で設定された数値を自己に割り当てられたアドレス情報として記憶する記憶部と、コネクタが電力演算装置の接続口に接続されると記憶部からアドレス情報を読み出して電力演算装置に送信する送信部とを備え、電力演算装置は、演算した瞬時電力又は積算電力量を電流センサから送信されるアドレス情報と関連付けて記憶する記憶部を備えたことを特徴とする。
【発明の効果】
【０００８】
本発明によれば、電流センサのコネクタを電流演算装置の何れの接続口に接続しても電流センサから送信されるアドレス情報と関連付けて瞬時電力又は積算電力量を記憶するので、電流センサとコネクタとの対応関係を確認する必要がなく、施工性を向上させることができる。
【図面の簡単な説明】
【０００９】
【図１】本発明に係る電力計測ユニットの実施形態を示す概略図で、（ａ）は電流センサを示す図で、（ｂ）は電力演算装置を含めた構成を示す図である。
【図２】同上の他の構成を示す概略図である。
【発明を実施するための形態】
【００１０】
以下、本発明に係る電力計測ユニットの実施形態について図面を用いて説明する。本実施形態は、本実施形態は、図１（ａ），（ｂ）に示すように、互いに離れた位置に配設された複数の負荷（図示せず）それぞれの近傍に設けられて負荷を流れる電流を検出する複数の電流センサ１と、各電流センサ１と信号の送受信を行う伝送線３を介して接続され、各電流センサ１で検出された電流に基づいて各負荷における瞬時電力又は積算電力量を演算する電力演算装置２とから構成される。尚、図示は省略するが、各負荷に印加される電圧を検出する電圧センサが電力演算装置２に接続されている。電圧センサは、計器用変圧器から成る。
【００１１】
電流センサ１は、図１（ａ）に示すように、１つの閉磁路に２次巻線を巻回し、負荷が接続される被測定電路を閉磁路に貫通させ、被測定電路に流れる電流による磁束変化を電圧として２次巻線に出力する所謂カレントトランスから成る。２次巻線に出力された電圧信号は、負荷を流れる電流情報を含む信号として伝送線３を介して電力演算装置２に送信される。また、電流センサ１の器体１０の一面には、各々０から９までの数字を表示する２つのカウンタ１１ａと、各カウンタ１１ａの上側に設けられて押操作することで各カウンタ１１ａに表示されている数字を変更する２つの押釦１１ｂとから成るアドレス設定部１１が設けられている。アドレス設定部１１で設定された数値は、自己に割り当てられたアドレス情報として記憶部（図示せず）に記憶される。
【００１２】
電力演算装置２の器体２０の一面には、図１（ｂ）に示すように、各電流センサ１から引き回される伝送線３の一端部に設けられたコネクタ３０が着脱自在に電気的に接続される複数（図示では３つ）の接続口２０ａが設けられている。また、電力演算装置２は、図示しないが電圧センサとも伝送線を介して接続されている。電力演算装置２は、電圧センサで検出された各負荷に印加される電圧と、各電流センサ１で検出された各負荷を流れる電流とに基づいて各負荷における瞬時電力又は積算電力量を演算する。尚、上述の電流センサ１、電圧センサ、及び電力演算装置２による瞬時電力及び積算電力量の計測原理は従来周知であるので、ここでは詳細な説明を省略する。
【００１３】
ここで、電流センサ１には、コネクタ３０が電力演算装置２の何れかの接続口２０ａに接続されると、記憶部からアドレス情報を読み出して電流情報と併せて電力演算装置２に伝送線３を介して送信する送信部１２が設けられている。また、電力演算装置２には、演算した瞬時電力又は積算電力量を電流センサ１から送信されるアドレス情報と関連付けて記憶する記憶部（図示せず）が設けられている。例えば、アドレス設定部１１において「０１」と設定された電流センサ１のコネクタ３０を電力演算装置２の接続口２０ａに接続すると、以降電流センサ１から送信される電流情報に基づいて演算される瞬時電力又は積算電力量は、アドレス情報「０１」と関連付けて記憶部に記憶される。
【００１４】
上述のように、電流センサ１のコネクタ３０を電流演算装置２の何れの接続口２０ａに接続しても電流センサ１から送信されるアドレス情報と関連付けて瞬時電力又は積算電力量を記憶するので、電流センサ１とコネクタ３０との対応関係を確認する必要がなく、施工性を向上させることができる。
【００１５】
尚、上記実施形態では電流センサ１にアドレス設定部１１を設けることで利用者が適宜アドレス情報を設定できるように構成しているが、図２に示すように、アドレス設定部１１を設けずに、例えば予めアドレス情報を格納したＩＣタグ（図示せず）を電流センサ１に内蔵し、コネクタ３０を電力演算装置２の接続口２０ａに接続した際に、送信部１２が当該ＩＣタグからアドレス情報を読み出して電力演算装置２にアドレス情報を送信するように構成してもよい。この構成においても、上記と同様の効果を奏することができる。
【符号の説明】
【００１６】
１  電流センサ
１２  送信部
２  電力演算装置
２０ａ  接続口
３  伝送線
３０  コネクタ
【図１】
0005486235.tif 000002
【図２】
0005486235.tif 000003